(57)【要約】【課題】施工を容易にでき、デッキとしての仕上がりを良好にできるデッキを提供すること。【解決手段】デッキ１０は、複数の束柱１１と、束柱１１間に架け渡される複数の大引き１２と、大引き１２間に架け渡される複数の根太１３と、根太１３間に架け渡される複数のデッキ材とを備え、大引き１２と根太１３との間に介装されるアタッチメント１５を有し、アタッチメント１５は、上面部１５Ａと根太１３の長手方向への移動をガイドする一対のガイド部１５Ｃとを有するとともに、上面部１５Ａを貫通するねじにより大引き１２に固定され、根太１３は、長手方向に沿って連続して垂設されてアタッチメント１５のガイド部１５Ｃでガイドされる一対の鉛直片１３Ｃを有するとともに、大引き１２に固定され、根太１３の鉛直片１３Ｃ間にはアタッチメント１５が配置され、かつアタッチメント１５のガイド部１５Ｃと根太１３の鉛直片１３Ｃとの間には隙間が設けられる。【選択図】図１
2014163043.tif 000002
【特許請求の範囲】
【請求項１】
複数の束柱と、
前記束柱間に架け渡される複数の大引きと、
前記大引き間に架け渡される複数の根太と、
前記根太間に架け渡される複数のデッキ材とを備えるデッキであって、
前記大引きと前記根太との間に介装されるアタッチメントを有し、
前記アタッチメントは、上面部と前記根太の長手方向への移動をガイドする一対のガイド部とを有するとともに、前記上面部を貫通するねじにより前記大引きに固定され、
前記根太は、長手方向に沿って連続して垂設されて前記アタッチメントの前記ガイド部でガイドされる一対の鉛直片を有するとともに、前記大引きに固定され、
前記根太の前記鉛直片間には前記アタッチメントが配置され、かつ前記アタッチメントの前記ガイド部と前記根太の前記鉛直片との間には隙間が設けられる
ことを特徴とするデッキ。
【請求項２】
前記アタッチメントは、矩形状の前記上面部と、前記上面部の互いに対向する一対の辺縁に沿って下方に向けて垂設された係止片とを有し、
前記大引きは、前記アタッチメントの前記上面部が載置される上面と、長手方向に沿って設けられて前記係止片が係止される一対の係合部とを有する
ことを特徴とする請求項１に記載のデッキ。
【請求項３】
前記鉛直片を含んで前記根太を前記大引きに固定する固定片が形成されている
ことを特徴とする請求項１または請求項２に記載のデッキ。
【請求項４】
前記根太の前記固定片は、前記鉛直片および水平片を有する断面Ｌ字形状とされ、
前記根太は、前記水平片を貫通するねじにより前記大引きに固定される
ことを特徴とする請求項３に記載のデッキ。
【発明の詳細な説明】
【技術分野】
【０００１】
本発明は、デッキに係り、特に大引きおよび根太を井桁状に組んだ下地構造を有するデッキに関する。
【背景技術】
【０００２】
従来、屋外に設置されるデッキとして、複数の束柱の上部間に大引きを架け渡して門型の下地とするとともに、大引きの上部間にデッキ材を敷設する構造が知られている。
一方、束柱の上部間に大引きを架け渡し、さらに大引き間に間隔を空けて根太を架け渡して井桁状の下地とし、それらの根太の上部間にデッキ材を敷設する構造のデッキも知られている（例えば、特許文献１，２参照）。
【０００３】
井桁状の下地構造を有したデッキの場合、デッキ材に加わる荷重が一旦根太で受けられ、根太から大引きに伝達されるため、門型の下地構造のデッキとは異なり、根太の直下を多数の束柱で支持する必要がない。従って、井桁上の下地構造の場合、大引きを支持する少数の束柱があればよいから、束柱の数および束基礎の数を少なくできる等のメリットがある。
【先行技術文献】
【特許文献】
【０００４】
【特許文献１】特開２００５−３４４３７１号公報
【特許文献２】特開平８−４２５３号公報
【発明の概要】
【発明が解決しようとする課題】
【０００５】
しかし、井桁状の下地構造を有していても、特許文献１に記載のデッキでは、大引きと根太とが連結金具を介して互いに堅固に連結されているため、束柱の施工精度に起因して大引きの端部同士が揃わなかったり、平行度が確保されなかったりした場合には、連結金具を用いて根太を大引きに適切に取り付けることができない。従って、束柱の施工を慎重に行って施工精度を向上させる必要があり、施工に手間がかかるという問題がある。
【０００６】
また、特許文献２に記載のデッキでは、大引きに対して根太が直接ねじ止めされている。このため、束柱の施工精度に起因して大引きに位置ずれが生じても、この位置ずれに関係なく、根太を適切に架け渡すことができる。
しかし、根太を大引きに直接ねじ止めする構造では、互いの接合作業時に根太の方に位置ずれが生じ易いことから、施工を安定して行うことができず、根太の端部同士が揃わなかったり、平行度を確保できなかったりといった問題が生じる。従ってやはり、施工を慎重に行う必要があり、施工に手間がかかるという問題がある。
【０００７】
本発明の目的は、施工を容易にできるとともに、仕上がりを良好にできるデッキを提供することにある。
【課題を解決するための手段】
【０００８】
本発明に係るデッキは、複数の束柱と、前記束柱間に架け渡される複数の大引きと、  前記大引き間に架け渡される複数の根太と、前記根太間に架け渡される複数のデッキ材とを備えるデッキであって、前記大引きと前記根太との間に介装されるアタッチメントを有し、前記アタッチメントは、上面部と前記根太の長手方向への移動をガイドする一対のガイド部とを有するとともに、前記上面部を貫通するねじにより前記大引きに固定され、前記根太は、長手方向に沿って連続して垂設されて前記アタッチメントの前記ガイド部でガイドされる一対の鉛直片を有するとともに、前記大引きに固定され、前記根太の前記鉛直片間には前記アタッチメントが配置され、かつ前記アタッチメントの前記ガイド部と前記根太の前記鉛直片との間には隙間が設けられることを特徴とする。
【０００９】
本発明によれば、根太の鉛直片と大引きに固定されたアタッチメントのガイド部との間には隙間が設けられているうえ、根太はアタッチメントに固定される訳ではなく、大引きに固定されるので、大引き上でアタッチメントの向きなどに微妙なばらつきがあっても、そのようなばらつきが根太間の平行度等に与える影響は小さい。
このため、束柱の位置精度等に起因して大引きの端部位置が多少位置ずれしたり、大引きの平行度が確保されなかったりした場合でも、アタッチメントを予め決められた所定位置に固定することで、アタッチメントと根太との間に存在する隙間で大引きのずれを吸収でき、根太間の平行度等を確実に確保できる。従って、デッキ材が根太に対して適切な位置に敷設されるようになり、デッキとしての仕上がりを良好にできる。
この際、根太の長手方向に関して位置決めが必要であるが、根太の位置決めについては、大引きに固定されたアタッチメントに対して根太を移動させればよいので、根太の位置決め作業中に根太が大引きの長手方向に位置ずれする心配がなく、施工を容易にできる。
【００１０】
本発明のデッキでは、前記アタッチメントは、矩形状の上面部と、前記上面部の互いに対向する一対の辺縁に沿って下方に向けて垂設された係止片とを有し、前記大引きは、前記アタッチメントの上面部が載置される上面と、長手方向に沿って設けられて前記係止片が係止される一対の係合部とを有することが望ましい。
本発明によれば、アタッチメントが係止片によって大引きに係止されるので、アタッチメントを大引きに固定する作業においても、アタッチメントを係止させた状態で実施でき、アタッチメントが固定作業中に大引きから脱落したり、位置が大きくずれて固定されたりするおそれがなく、作業を正確かつ迅速にできる。
【００１１】
本発明のデッキでは、前記鉛直片を含んで前記根太を前記大引きに固定する固定片が形成されていることが望ましい。
本発明によれば、固定片を利用することで、根太を大引きに直接固定すればよいから、複雑な形状をした従来の連結金具等を不要にでき、固定作業を簡素化できる。さらに、鉛直片を含む固定片により、アタッチメントにガイドされながらの根太の移動と、大引きへの根太の固定との両方を行え、移動および固定を個別の部位を設けて行う必要がなく、根太の形状を簡素化でき、材料費等を軽減できる。また、固定片を根太の長手方向に連続して設けることで、大引き上には常に固定片が位置することになり、根太をいずれの位置で位置決めした場合でも、固定片を介して根太を大引きに確実に固定できる。
【００１２】
本発明のデッキでは、前記根太の固定片は、鉛直片および水平片を有する断面Ｌ字形状とされ、前記根太は、前記水平片を貫通するねじにより前記大引きに固定されることが望ましい。
本発明によれば、水平片に対して上方からねじをねじ込めばよいので、大引きへの根太の固定を楽な姿勢で行え、作業者の負担を軽減できる。
【図面の簡単な説明】
【００１３】
【図１】本発明の一実施形態に係るデッキの要部を示す斜視図。
【図２】前記デッキの斜視図であり、デッキの施工手順を（Ａ）〜（Ｄ）の順序で説明するための説明図。
【図３】前記デッキの更に詳細な施工手順を（Ａ）〜（Ｃ）の順序で説明するための説明図。
【発明を実施するための形態】
【００１４】
以下、本発明の一実施形態を図面に基づいて説明する。
図１および図２（Ａ）において、本実施形態のデッキ１０は、図示しない複数の独立した束基礎と、束基礎上に立設される複数の束柱１１と、互いに間隔を空けて束柱１１間に架け渡される複数の大引き１２と、大引き１２の長手方向に沿って間隔を空けるようにして該大引き１２間に架け渡される複数の根太１３と、根太１３間に敷設される複数のデッキ材１４とを備える。このようにデッキ１０は、大引き１２および根太１３を備えることで、井桁状の下地構造を有するものとして構成されている。そして、本実施形態では、大引き１２と根太１３との間には、アタッチメント１５が介装される。
【００１５】
ここで、束基礎とは、束柱が立設される基礎部分のことであり、コンクリート製あるいは天然の玉石で構成される独立した基礎石、およびコンクリート土間で構成されるベタ基礎を含むものである。
【００１６】
本実施形態の束柱１１、大引き１２、根太１３、アタッチメント１５は、アルミ押出形材製である。デッキ材１４は、木粉入りの合成樹脂による成形部材である。これらの部材の本数や個数、長さなどは、デッキ１０の大きさ等、その仕様によって適宜変更される。
【００１７】
束基礎は、束柱１１毎に設けられる。また、束基礎は、寒冷地で施工される場合には、凍結深度まで深く埋設または打設される。
束柱１１は、図示しないＬ字形状のブラケットを介して束基礎の上面にねじ止めされる。本実施形態では、１本の大引き１２に対して２本の束柱１１が用いられ、これらの束柱１１で大引き１２の両端側を支持している。
【００１８】
大引き１２は、断面略凸形状である。大引き１２の離間した一対の側面１２Ａの下端縁には、長手方向に沿って連続した鉛直な固定片１２Ｂが下方に向けて垂設されている。これらの固定片１２Ｂ間に束柱１１の上部側が収容され、固定片１２Ｂを水平に貫通するねじ１６によって大引き１２が束柱１１の上部側に固定される。大引き１２の上面１２Ｃの両側縁には、外方に向けて水平に延出した係合部１２Ｄが大引き１２の長手方向に沿って連続して設けられている。なお、断面形状が凸形状である大引き１２では、上面１２Ｃの両側が側面１２Ａに達しておらず、係合部１２Ｄの位置が側面１２Ａよりも内側に位置している。
【００１９】
根太１３も、断面略凸形状である。根太１３の離間した一対の側面１３Ａの下端縁には、長手方向に沿って連続した固定片１３Ｂが下方に向けて垂設されている。固定片１３Ｂは、鉛直片１３Ｃおよび水平片１３Ｄを有する断面Ｌ字形状 である。この固定片１３Ｂの水平片１３Ｄは外方に向けて延設されており、大引き１２の上面１２Ｃ上に設置される。水平片１３Ｄを上方から貫通するねじ１７により、根太１３が大引き１２の上面１２Ｃに固定される。また、根太１３にも、大引き１２と同様な係合部１３Ｅが設けられている。このような係合部１３Ｅには、図示しない取付部材が係合される。
【００２０】
デッキ材１４は、図２では、複数が一体とされた状態で描かれているが、実際には１つずつ前記の取付部材を介して根太１３上に敷設される。取付部材は、根太１３の係合部１３Ｅに係合された状態で根太１３にねじ止めされる。ただし、そのような取付部材を用いた根太１３へのデッキ材１４の固定構造は既知であるため、ここでの詳細な図示および説明を省略する。
【００２１】
アタッチメント１５は、矩形状とされた上面部１５Ａと、上面部１５Ａの互いに対向する一対の辺縁に沿って下方に垂設された係止片１５Ｂとを有し、側面視で逆凹形状である。アタッチメント１５は、係止片１５Ｂが大引き１２の係合部１２Ｄに沿い、かつ上面部１５Ａが上面１２Ｃ上に重なるように載置される。載置された状態では、大引き１２の係止片１５Ｂ間に大引き１２の上面１２Ｃの幅全体が配置される。係止片１５Ｂは大引き１２の係合部１２Ｄに係止され、アタッチメント１５が大引き１２上から容易に脱落しないようになっている。大引き１２の所定位置に位置決めされたアタッチメント１５は、上方からのねじ１８にて大引き１２の上面１２Ｃに固定される。
【００２２】
アタッチメント１５における大引き１２の長手方向に沿った寸法は、根太１３の固定片１３Ｂを形成する鉛直片１３Ｃ間の寸法と略同じである。このようなアタッチメント１５は、根太１３の鉛直片１３Ｃ間に配置される。アタッチメント１５が根太１３に配置された状態では、このアタッチメント１５に対して根太１３を長手方向に沿って移動させることが可能である。
【００２３】
この際、アタッチメント１５において、係止片１５Ｂに対して直交する一対の水平な辺縁は、ガイド部１５Ｃになっている。従って、根太１３の鉛直片１３Ｃとガイド部１５Ｃとは近接対向し、根太１３の移動時には、鉛直片１３Ｃがガイド部１５Ｃによってガイドされる。このことから根太１３は、その長手方向、すなわち架け渡し方向に沿って移動することになり、大引き１２の長手方向に位置ずれすることなく、根太１３の長手方向の位置を容易に調整可能である。
【００２４】
また、アタッチメント１５における大引き１２の長手方向に沿った寸法と、根太１３の鉛直片１３Ｃ間の寸法とが略同じであるというのは、根太１３がアタッチメント１５に対して無理なく移動することを加味したうえで、略同じということである。従って、アタッチメント１５のガイド部１５Ｃと根太１３の鉛直片１３Ｃとの間には、根太１３の僅かな隙間が存在する。この隙間により、束柱１１と大引き１２との間の施工誤差が吸収される。
【００２５】
以下には、図２（Ａ）ないし図２（Ｄ）、および図３（Ａ）ないし図３（Ｃ）に基づき、デッキ１０の施工手順を概略説明する。
図２（Ａ）に示すように先ず、束基礎（不図示）上の墨出しされた位置に束柱１１を立設して固定し、束柱１１間に大引き１２を架け渡して固定する。この時、束柱１１の施工精度に限界があり、図３（Ａ）に示すように、束柱１１間に架設された大引き１２の一端側での端部間の寸法Ａ１と、他端間での寸法Ａ２との差が大きくなってしまうことがある。
【００２６】
例えば、大引き１２の長さ寸法が５０００(mm)の場合では、寸法Ａ１と寸法Ａ２との間で生じる最大の施工誤差は１０(mm)となる。このような施工誤差を根太１３の鉛直片１３Ｃとアタッチメント１５のガイド部１５Ｃとの隙間で吸収可能なように、当該隙間としては約１(mm)に設定される。以下には、寸法Ａ１，Ａ２に差が生じたことで、図中の左側ほど、建物の壁面１とこれに隣設する大引き１２との距離が小さくなり、図中の右側ほど、壁面１と大引き１２との距離が大きくなった場合を想定し、施工手順を説明する。
【００２７】
図３（Ａ）および図２（Ｂ）に示すように、大引き１２の一端側において、根太１３の最初の１本を大引き１２の端部間に架け渡す。この最初の根太１３については、壁面１に対する正確な角度（例えば直角）出しを行う。角度が出たところで、根太１３の端部と壁面１との間の寸法Ｂ１を出し、アタッチメント１５を用いることなく根太１３を大引き１２にねじ１７により固定する。また、他の２本の根太１３を取り付けるために、アタッチメント１５を所定の寸法Ｃ１の間隔で位置決めし、大引き１２にねじ１８にて固定しておく。
【００２８】
次いで、図３（Ｂ）に示すように、最初の根太１３の両端の角部１３Ｆ、１３Ｇを基準として、他の２本の根太１３に対する対角上の寸法出しを行う。具体的には、最初の根太１３の壁面１側の角部１３Ｆと、中央の根太１３の壁面１から離間した側の角部１３Ｇとの対角寸法をＤ１とし、最初の根太１３の壁面１から離間した側の角部１３Ｇと、中央の根太１３の壁面１側の角部１３Ｆとの対角寸法をｄ１とした場合、Ｄ１＝ｄ１となるように、中央の根太１３を長手方向に移動させて位置を調整する。この位置調整の後、中央の根太１３を大引き１２に固定する。
【００２９】
同様に、最初の根太１３の角部１３Ｆと左側の根太１３の角部１３Ｇとの対角寸法をＤ２とし、最初の根太１３の角部１３Ｇと左側の根太１３の角部１３Ｆとの対角寸法をｄ２とした場合、Ｄ２＝ｄ２となるように、左側の根太１３を長手方向に移動させて位置を調整する。この位置調整の後、左側の根太１３を大引き１２に固定する。
【００３０】
こうすることで、各根太１３は、図３（Ｃ）に示すように、束柱１１および大引き１２の施工精度に影響されることなく、壁面１に対して適切な位置関係となるように大引き１２に架け渡されることになる。この状態で根太１３をねじ１７により大引き１２に固定する。この後、図２（Ｃ）に示すように、デッキ材１４を根太１３上に、例えば壁面１に近い側から順に取付部材を用いながら設置する。
以上により、図２（Ｄ）に示すデッキ１０を得る。
【００３１】
以上に説明した本実施形態によれば、以下の効果がある。
（１）すなわち、デッキ１０で敷設される根太１３の鉛直片１３Ｃとアタッチメント１５のガイド部１５Ｃとの間には、根太１３の移動を可能にする程度の隙間が存在するから、束柱１１の位置精度等に起因して大引き１２の端部位置が多少位置ずれしたり、大引きの平行度が確保されなかったりして施工誤差が生じた場合でも、アタッチメント１５を予め決められた所定位置に固定すれば、そのような施工誤差による大引き１２のずれを根太１３とアタッチメント１５との間の隙間で吸収でき、根太１３間の平行度等を確実に確保できる。従って、デッキ材１４が根太１３に対して適切な位置に敷設されるようになり、デッキ１０としての仕上がりを良好にできる。
【００３２】
（２）大引き１２とアタッチメント１５との間にも、組付上必要な公差はあるが、根太１３はそのようなアタッチメント１５に固定されている訳ではなく、大引き１２に直接固定されている。このため、そのような公差により、大引き１２上でのアタッチメント１５の向き等が多少ばらついても、そのばらつきが根太１３間のピッチや平行度に与える影響は殆どなく、根太１３を壁面１に対して直交する方向に正確に架け渡すことができる。
【００３３】
（３）そして、根太１３を大引き１２間に架け渡すのに際しては、根太１３の長手方向の位置決めが必要であるが、根太１３の位置決めについては、大引き１２に固定されたアタッチメント１５に対して根太１３を移動させればよいので、根太１３の位置決め作業中に根太１３が大引き１２の長手方向に位置ずれする心配がなく、安定した施工を実現できる。
【００３４】
（４）アタッチメント１５は、係止片１５Ｂによって大引き１２に係止されるので、アタッチメント１５を大引き１２に固定する作業においても、アタッチメント１５を係止させた状態で実施でき、アタッチメント１５が固定作業中に大引き１２から脱落したり、大きく位置ずれして固定されたりせず、作業を迅速にできる。
【００３５】
（５）根太１３の固定片１３Ｂを利用することで、根太１３を大引き１２に直接固定されるので、固定片１３Ｂを設けることにより、アタッチメント１５に対する根太１３の移動と、大引き１２への根太１３の固定との両方を行え、移動および固定を個別の部位を設けて行う必要がなく、根太１３の形状を簡素化でき、材料費等を軽減できる。そして、固定片１３Ｂを設けることにより、複雑な形状をした従来の連結金具等を不要にでき、固定作業を簡素化できる。
また、固定片１３Ｂが根太１３の長手方向に連続していることで、大引き１２上には常に固定片１３Ｂが位置することになり、根太１３をその長手方向のいずれの位置で位置決めされた場合でも、根太１３を大引き１２に確実に固定できる。
【００３６】
（６）根太１３の固定にあたっては、固定片１３Ｂを形成している水平片１３Ｄに対して上方からねじをねじ込むだけでよく、大引き１２への根太１３の固定を楽な姿勢で簡単に行え、作業者の負担を軽減できる。
【００３７】
（７）デッキ１０は、大引き１２および根太１３が設けられる井桁状の下地構造を有しているから、デッキ材１４に加わる荷重は一旦根太１３で受けられ、根太１３から大引き１２に伝達される。このため、本実施形態程度の大きさのデッキ１０であれば、束柱１１としては、大引き１２の両端を支持する数だけあればよく、束柱１１の数および束基礎の数を少なくできる。従って、束基礎を施工するための施工期間を短くでき、これに伴って施工費用を軽減できる。寒冷地の場合、束基礎を凍結深度まで深く掘り下げて設置または打設する必要があり、時間および費用が余計に嵩んでしまうが、束基礎の数が少なくて済むデッキ１０は、そのような問題を解決でき、寒冷地において特に有効である。
【００３８】
（８）加えて、建物周辺に配管が多数埋設されている場合には、束基礎の数が多いことで、束基礎が配管と干渉するおそれがある。この場合、束基礎をずらして配置する必要があり、推奨寸法通りに施工できない。しかし、デッキ１０では、束基礎の数を少なくできるので、束基礎と配管とが干渉する可能性が少なく、束柱１１の位置などを推奨通りの間隔で施工できる。
【００３９】
（９）また、根太１３の平行度が十分に確保されることで、必要以上に間隔が空いた根太１３間にデッキ材１４を架設するといった事態が生じない。このため、デッキ材１４に加わる垂直荷重により、デッキ材１４が過度に撓んだりせず、耐久性を向上させることができる。
【００４０】
（１０）さらに、デッキ１０では、大引き１２の長手方向とデッキ材１４の長手方向とが同じであるから、デッキ材１４の撓みや、日光の直射によって熱伸びした場合のデッキ材１４の反りに対しては、大引き１２によっても確実に対抗でき、束柱１１同士を根がらみで連結する等して補強する必要がなく、根がらみの取付作業や部材費用等を不要にできる。
【００４１】
なお、本発明は以上の実施形態で説明した構成のものに限定されず、本発明の目的を達成できる範囲での変形例は、本発明に含まれる。
例えば、前記実施形態では、根太１３の固定片１３Ｂを形成する鉛直片１３Ｃ間にアタッチメント１５が配置され、かつ固定片１３Ｂが根太１３に固定されていたが、そのような固定片１３Ｂとは別に鉛直な片状部分を根太に設け、それらの片状部分間にアタッチメント１５を配置させるようにしてもよい。
【００４２】
前記実施形態では、アタッチメント１５に係止片１５Ｂが設けられていたが、そのような係止片が設けられていない単なる矩形のプレートである場合でも、本発明に含まれる。しかし、そのような係止片を有することで、前述した（４）の効果を得ることができるため、係止片を設けることが望ましい。
【００４３】
前記実施形態で説明したデッキ１０では、根太１３が大引き１２に対して略直交する方向に架け渡されていたため、アタッチメント１５は矩形状とされ、一対のガイド部１５Ｃと隣り合う辺との角度が略直角に形成されていた。
これに対して本発明では、根太を大引きに対して任意の角度で架け渡してもよい。このような場合には、一対のガイド部と隣り合う辺との角度を前記任意の角度に形成すればよく、本発明の効果を同様に得ることができる。つまり、本発明では、アタッチメントの形状は特定されることなく、一対のガイド部が例えば互いに平行とされるなどして、根太の長手方向の移動をガイドできればよい。
【符号の説明】
【００４４】
１０…デッキ、１１…束柱、１２…大引き、１２Ｃ…上面、１２Ｄ…係合部、１３…根太、１３Ａ…側面、１３Ｂ…固定片、１３Ｃ…鉛直片、１３Ｄ…水平片、１４…デッキ材、１５…アタッチメント、１５Ａ…上面部、１５Ｂ…係止片、１５Ｃ…ガイド部、１７…ねじ。
【図１】
2014163043.tif 000003
【図２】
2014163043.tif 000004
【図３】
2014163043.tif 000005